(57)【特許請求の範囲】
【請求項１】
容器内の気体、液体、または、ゾル状の溶液からなる内容物を撹拌する撹拌器であって、
前記撹拌器は、
時計方向または反時計方向のいずれか一方にねじられた板状のねじり面を有するひねり棒と、
このひねり棒の一端に設けられた回転支持部と、
前記ひねり棒の横断面形状に合わせたガイド孔を中心に備え、このガイド孔に前記ひねり棒を遊嵌させて、前記ねじり面に沿って摺動しながら回転するプロペラと、
前記ひねり棒の他端に設けられ、前記プロペラの脱落を防止するストッパと、を備え、
前記プロペラは、前記ねじり面に沿って自重で摺動しながら回転することを特徴とする撹拌器。
【請求項２】
前記ひねり棒を、前記容器内の前記内容物に挿入して、前記ひねり棒の軸中心に回転させたときに、前記プロペラは、前記内容物から揚力を受けて、前記ねじり面に沿って摺動しながら上昇するとともに、回転することを特徴とする請求項１に記載の撹拌器。
【請求項３】
前記ひねり棒を前記内容物に挿入して、前記回転支持部を前記容器の上方側に備え、前記回転支持部をその端面側から見て軸中心に時計方向の回転をさせたときに、前記プロペラは、前記回転支持部側とは反対側から揚力を受けて、前記ねじり面に沿って前記回転支持部側に向かって摺動しながら回転することを特徴とする請求項１に記載の撹拌器。
【発明の詳細な説明】
【技術分野】
【０００１】
本発明は、容器内の気体、液体、またはゾル状の溶液などを撹拌する撹拌器に関し、特に、回転支持部を手で廻すことによって、プロペラがひねり棒のねじり面に沿って摺動しながら回転して撹拌する撹拌器に関する。
【背景技術】
【０００２】
図７は、従来例に係る撹拌装置の正面断面図である。図７に示すように、取付ベース２０５の中央部に透設した遊嵌孔２５３にロッド２４２を挿通するとともに、取付ベース２０５上に固着した保持ブロック２５４のベアリング２５５で傾動及び昇降可能に軸受し、保持ブロック２５４上にウレタンパッキン２５６を設けて押さえ金具２５７で固着している。
【０００３】
そして、撹拌機２０４にロッド２４２と平行に垂下したストッパ杆２０６を備え、ロッド２４２の上部のアーム２６１と取っ手２４１の基部へのビス止めでストッパ杆２０６を支持している。また、撹拌羽根２４３の少し上の位置のロッド２４２に、水平方向に屈曲した撹拌棒４５１を３本突設した撹拌補助体２４５を備えるとともに、いずれかの撹拌棒４５１に、容器２０１の内周に当接できる当てガイド２４６を斜め下に向けて突設している。
このように、撹拌機２０４を傾動及び昇降操作できて、容器２０１の隅々まで回転羽根２４３及び撹拌棒４５１で撹拌でき、また、当てガイド２４６が容器２０１の内周に当接して、付着した固塊を安全に取り除いて撹拌でき、取付ベース２０５で支持されているため、撹拌機２０４の保持が軽くできて、操作し易く、さらに、容器２０１の脱着が簡単で作業性に優れている。
【０００４】
また、取っ手を握持して傾動させ、または、昇降傾動などすることにより撹拌羽根の位置を簡単に変位でき、この変位自在な撹拌によって容器の内周に付着した固塊を除去撹拌でき、また、容器の内底が緩やかな湾曲状の凹設面になっているため、容器の下端内周部を均一に撹拌できる。
【０００５】
また、撹拌機の作動中、回転力によってロッドと平行に設けたストッパ杆が取付ベースに当接してそれ以上振り回されないため、その保持が簡単となる。また、撹拌機を傾動変位させることにより、撹拌羽根の少し上の位置に備えた当てガイドが回転しながら容器の内周に当接するため、当てガイドが内周に付着した固塊をこそぎ取って撹拌できる。さらに、撹拌羽根と同時に撹拌棒も回転するため、撹拌効果が良好となり、当てガイドを撹拌棒に突設することで当てガイドの取り付け構成が簡単となる。
【特許文献１】特開平８−３８８７０号公報（段落番号「０００５〜００１９」、図１、図２）
【発明の開示】
【発明が解決しようとする課題】
【０００６】
しかしながら、容器内の内容物を均一に撹拌するためには、撹拌器のロッドを左右に傾けたり、上下に昇降させたりしなければならないという問題があった。
【０００７】
本発明は、前記問題を解決するために創案されたものであり、容器内の内容物を均一に、しかも、効率よくスムーズに撹拌することができる撹拌器を提供することを課題とする。
【課題を解決するための手段】
【０００８】
前記課題を解決するために、請求項１に係る撹拌器は、容器内の気体、液体、または、ゾル状の溶液からなる内容物を撹拌する撹拌器であって、前記撹拌器は、時計方向または反時計方向のいずれか一方にねじられた板状のねじり面を有するひねり棒と、このひねり棒の一端に設けられた回転支持部と、前記ひねり棒の横断面形状に合わせたガイド孔を中心に備え、このガイド孔に前記ひねり棒を遊嵌させて、前記ねじり面に沿って摺動しながら回転するプロペラと、前記ひねり棒の他端に設けられ、前記プロペラの脱落を防止するストッパと、を備え、前記プロペラは、前記ねじり面に沿って自重で摺動しながら回転することを特徴とする。
【０００９】
請求項２に係る発明は、請求項１に記載の撹拌器であって、前記ひねり棒を、前記容器内に挿入して、前記ひねり棒の軸中心に回転させたときに、前記プロペラは、前記内容物から揚力を受けて、前記ねじり面に沿って摺動しながら上昇するとともに、回転することを特徴とする。
【００１１】
請求項３に係る発明は、請求項１に記載の撹拌器であって、前記ひねり棒を前記内容物に挿入して、前記回転支持部を前記容器の上方側に備え、前記回転支持部をその端面側から見て軸中心に時計方向の回転をさせたときに、前記プロペラは、前記回転支持部側とは反対側から揚力を受けて、前記ねじり面に沿って前記回転支持部側に向かって摺動しながら回転することを特徴とする。
【発明の効果】
【００１２】
請求項１に係る発明によれば、容器内の気体、液体、または、ゾル状の溶液からなる内容物を撹拌する撹拌器は、時計方向または反時計方向のいずれか一方にねじられた板状のねじり面を有するひねり棒の一端に設けられた回転支持部を廻すことによって、プロペラが、ねじり面に沿って摺動しながら回転し、容器内の内容物を均一に、しかも、効率よくスムーズに撹拌することができる。
さらに、請求項１に係る発明は、プロペラは、ねじり面に沿って自重で摺動しながら回転するため、容器内の内容物を均一に、しかも、効率よくスムーズに撹拌することができる。
【００１３】
請求項２に係る発明によれば、ひねり棒を容器内に挿入して回転させたときに、プロペラは、内容物から揚力を受けて、ねじり面に沿って摺動しながら上昇するとともに回転するため、容器内の内容物を均一に、しかも、効率よくスムーズに撹拌することができる。
【００１５】
請求項３に係る発明によれば、ひねり棒を内容物に挿入して、回転支持部を容器の上方側に備え、回転支持部を時計方向に回転させたときに、プロペラは、回転支持部側とは反対側から揚力を受けて、ねじり面に沿って回転支持部側に向かって摺動しながら回転するため、容器内の内容物を均一に、しかも、効率よくスムーズに撹拌することができる。
【発明を実施するための最良の形態】
【００１６】
＜第１の実施形態＞
本発明の第１の実施形態に係る撹拌器について、図面を参照して詳細に説明する。
図１の（ａ）は、第１の実施形態に係る撹拌器を示す概略図であり、図１の（ｂ）は撹拌器を用いて撹拌する様子を示す斜視図である。
【００１７】
図１の（ａ）に示すように、撹拌器１は、ひねり棒２を備えたシャフト３と、プロペラ４と、ストッパ５とから主に構成されている。
シャフト３は、ひねり棒２と回転支持部（取っ手）６を備えている。ひねり棒２には、ねじり面２ａ、一端２ｂ、他端２ｃ、および、ストッパ孔２ｄが備えられている。
回転支持部６には、ひねり棒２に回転を与える際、指先のすべりを防止するためのローレット加工などが施されており、取っ手として機能する。図中では、筋目ローレットが描画されているが、これに限るものではなく、綾目ローレット、平目ローレットでもよい。また、取っ手を六角柱、四角柱などで形成しても構わない。
プロペラ４は、回転支持部６を回転させることによって、ひねり棒２を回転させ、このひねり棒２に備えられたねじり面２ａが回転することによって、ほぼ矩形の断面を持つねじり面２ａに沿って回転する。
ストッパ５は、プロペラ４がひねり棒２からの脱落を防止するためのものであり、ボルト（なべ小ねじ）５ａなどが用いられている。
【００１８】
図１の（ｂ）に示すように、容器７内に気体、液体、または、ゾル状の溶液からなる内容物８が収められており、撹拌器１が、容器７内の内容物８を撹拌する様子が示されている。
この内容物８を撹拌するために、撹拌器１が容器７内の内容物８に挿入される。例えば、人が、右手の指先などで撹拌器１を持ち、指で撹拌器１の回転支持部（取っ手）６を右方向へ１／２回転、すなわち約１８０度回転させる。このとき、撹拌器１を回転させる方向は、人から見て時計方向である。このときに、プロペラ４がその裏面から揚力Ｆを受ける。これによって、プロペラ４は、ねじり面２ａに沿って摺動しながら上昇するとともに、回転して、容器７内の内容物８が上下に撹拌される。
【００１９】
図２は、シャフト３の構成を示す構成図である。図２の（ａ）は正面図、図２の（ｂ）は側面図、図２の（ｃ）は（ａ）における底面図である。
図２の（ａ）（ｂ）（ｃ）に示すように、ひねり棒２は、その横断面がほぼ矩形に形成されており、取っ手６側から見て、１／２回転（約１８０度）ほど時計方向へねじられたねじり面２ａを有する板状に形成されている。取っ手６は、このひねり棒２の一端２ｂ側に延設して形成されている。また、ひねり棒２の他端２ｃには、プロペラ４がひねり棒２から脱落しないようにストッパ５（図１の（ａ）参照）を固定するストッパ孔２ｄが備えられている。
【００２０】
このストッパ孔２ｄには、雌ねじ（図略）が形成されており、この雌ねじにボルト５ａ（図１の（ａ）参照）を螺合させてストッパ５（図１の（ａ）参照）としている。また、ストッパ５は、ストッパ孔２ｄを丸穴にして、この丸穴にボルト５ａを挿通させて、ナット（図略）で固定しても構わない。また、ボルト・ナットなどの代わりにリベットを打ち込んでストッパとしてもよい。また、ひねり棒２にプロペラ４を挿入した後、ひねり棒２の他端２ｃを変形させてストッパとしてもよい。
【００２１】
図３は、プロペラ４の構成を示す構成図である。図３の（ａ）は正面図、図３の（ｂ）は平面図、図３の（ｃ）は側面図である。
図３の（ａ）（ｂ）（ｃ）に示すように、プロペラ４は、ひねり棒２（図２参照）の横断面形状に合わせたガイド孔４ａをプロペラ４の中心に備え、このガイド孔４ａにひねり棒２を遊嵌させて、ねじり面２ａに沿って摺動自在とするとともに、ねじり面２ａに沿って回転する。
このとき、プロペラ４のねじり方向は、図３の（ａ）に示すように、プロペラ４の外周からガイド孔４ａを見て、時計方向へねじられている。
【００２２】
すなわち、プロペラ４の羽根の傾きは、取っ手６側から見て、取っ手６を時計方向に廻したときに、取っ手６側とは反対側から揚力Ｆを受けるように形成されており、この傾きによって、ねじり面２ａに沿って取っ手６側に向かって摺動しながら回転する。
【００２３】
なお、プロペラ４のねじり方向を前記したプロペラ４のねじり方向とは逆にすることによって、ひねり棒２のねじり面２ａを、前記したひねり棒２のねじり方向とは逆の方向である反時計方向にねじっても、同様の作用を得ることができるので、このような構成にしても構わない。
【００２４】
次に、撹拌器１の動作を説明する。図４は、撹拌器１を用いて、容器７内の内容物８を撹拌する様子を説明する工程図である。
図４の（ａ）は、撹拌器１を容器７内に挿入して、取っ手６を回転させ始めたときの様子を示す図である。
図４の（ａ）に示すように、プロペラ４が回転を始めてその羽根の回転によって、内容物８が撹拌される。黒線矢印は内容物８が撹拌されている方向を示している。白抜き矢印は、プロペラ４が内容物８から揚力Ｆを受けている方向を示している。
【００２５】
すなわち、揚力Ｆがプロペラ４を下面から押し上げ、プロペラ４がねじり面２ａ（図２参照）に沿って、取っ手６に向かって回転しながら摺動・上昇し、内容物８を撹拌する。
なお、取っ手６を廻す範囲は１８０度に限らず、指先が廻る範囲内であれば構わない。
また、取っ手６を左手で廻す場合も、時計方向へ廻す限り同様の効果が得られ、薬指で補佐することによって、取っ手６を容易に廻すことができる。さらに、左利き用の撹拌器を用意することは、本実施の形態を基にすれば、構造上容易に実現できるので、説明を省略する。
【００２６】
図４の（ｂ）は、撹拌器１の取っ手６を容器７内で回転させて、プロペラ４がひねり棒２に沿って上昇する様子を示す図である。
図４の（ｂ）に示すように、プロペラ４が回転をしてその羽根の回転によって、内容物８が大きく撹拌されている。黒線矢印は内容物８が撹拌されている方向を示している。直線の白抜き矢印は、プロペラ４が内容物８から揚力Ｆを受けている方向を示している。曲線の白抜き矢印は、ひねり棒２が回転している方向を示している。
【００２７】
図４の（ｃ）は、さらに、撹拌器１を容器７内で回転させている様子を示す図である。
図４の（ｃ）に示すように、プロペラ４が回転をしてその羽根の回転によって、内容物８がさらに大きく撹拌されている。黒線矢印は内容物８が撹拌されている方向を示している。直線の白抜き矢印は、プロペラ４が内容物８から揚力Ｆを受けている方向を示している。曲線の白抜き矢印は、ひねり棒２が回転している方向を示している。ここまでは、撹拌器１がその軸中心に１／２回転したときの様子である。
【００２８】
図４の（ｄ）は、撹拌器１がその軸中心に１／２回転し終えて、回転を止めたときの様子であり、プロペラ４がその自重によって、容器７内を降下し始める様子を示している。
図４の（ｄ）に示すように、プロペラ４は、これまでの上昇時の回転方向と同一方向へ回転しながら、ひねり棒２に沿って降下し始める。このとき、その羽根の回転によって、内容物８が撹拌されている。黒線矢印は内容物８が撹拌されている方向を示している。白抜き矢印は、プロペラ４が自重によって降下する方向を示している。
すなわち、取っ手６を廻すのを止めると、プロペラ４はねじり面２ａに沿って回転しながらストッパ５側に自重Ｗで摺動・降下して内容物８を撹拌する。
【００２９】
図４の（ｅ）は、プロペラ４がその自重Ｗによって、さらに、容器７内を降下している様子を示す図である。
図４の（ｅ）に示すように、プロペラ４は、これまでと同じ方向へ回転しながら、さらに、ひねり棒２に沿って降下して、ひねり棒２の中程まで降下している。このとき、その羽根の回転によって、内容物８が大きく撹拌されている。黒線矢印は内容物８が撹拌されている方向を示している。白抜き矢印は、プロペラ４が自重Ｗによって降下する方向を示している。
【００３０】
図４の（ｆ）は、プロペラ４がその自重Ｗによって、容器７内を降下して、ひねり棒２の下端に戻った様子を示す図である。
図４の（ｆ）に示すように、プロペラ４は、これまでと同じ方向へ回転しながら、さらに、ひねり棒２に沿って降下して、ひねり棒２の下端まで降下している。このとき、その羽根の回転によって、内容物８がさらに大きく撹拌されている。黒線矢印は内容物８が撹拌されている方向を示している。白抜き矢印は、プロペラ４が自重Ｗによって降下する方向を示している。
【００３１】
このように、撹拌器１の取っ手６を、例えば、人の指先で１８０度程度回転させることによって、プロペラ４は容器７内の内容物８内を上下して、プロペラ４が上下に移動する。このとき、内容物８を上下に撹拌するとともに、プロペラ４が回転するときの羽根の傾斜によって、内容物８を左右に撹拌する。
すなわち、ひねり棒２の端部に設けられた回転支持部６を手で左右に廻すことによって、プロペラ４が、内容物８内で左右に回転し、ひねり棒２と、ひねり棒２の回転によって発生する推力の作用によって、上下運動を繰り返し、効率よく撹拌することができる。
【００３２】
＜第２の実施形態＞
次に、本発明の第２の実施形態に係る撹拌器について、図面を参照して説明する。
図５は、第２の実施形態を説明する構成図である。第２の実施形態と、前記した第１の実施形態との相違点は、第１の実施形態の撹拌器１が、シャフト３にひねり棒２を備えているのに対して、図５に示すように、第２の実施形態の撹拌器１１は、シャフト１３を直棒状にした点である。なお、第１の実施形態と重複する部分は同符号を付して、その説明は省略する。
【００３３】
図５に示すように、撹拌器１１は、シャフト１３とプロペラ１４を備えている。この第２の実施形態では、プロペラ１４は、シャフト１３に沿って摺動する必要がないため、シャフト１３の先端に固定されている。固定方法は溶接であってもよく、ボルト・ナットで固定しても構わないし、回転方向へずれて移動することがなければ、簡単なストッパなどであってもよい。なお、内容物がゲル状の半固体であっても、効果的に撹拌することができる。
【００３４】
すなわち、この撹拌器１１は、容器７（図１の（ｂ）参照）内の気体、液体、または、ゾル状の溶液からなる内容物８（図１の（ｂ）参照）を撹拌する撹拌器１１であって、この撹拌器１１は、このシャフト１３の一端に設けられた回転支持部１６と、シャフト１３の他端に設けられたプロペラ１４とを備えている。
【００３５】
＜第３の実施形態＞
次に、本発明の第３の実施形態に係る撹拌器について、図面を参照して説明する。
図６は、第３の実施形態を説明する構成図である。図６の（ａ）は、撹拌器を示す部分断面図であり、図６の（ｂ）は、図６の（ａ）に示す撹拌器を回転させる様子を示す部分断面図である。
第３の実施形態と、前記した第１の実施形態との相違点は、第１の実施形態の撹拌器１が、シャフト３の取っ手６を指で回転させて、それに伴って、ひねり棒２を回転させているのに対して、図６の（ａ）に示すように、第３の実施形態の撹拌器２１の取っ手２６に回転補助器３４を取り付けて、この回転補助器３４を指などで押し下げることによって、撹拌器２１の取っ手２６を回転させるようにした点である。なお、第１の実施形態と重複する部分は同符号を付して、その説明は省略する。
【００３６】
図６の（ａ）に示すように、撹拌器２１は、ひねり棒２２を備えたシャフト２３と、プロペラ２４と、ストッパ２５と、回転補助器３４と、受け台３３とから主に構成されている。
回転補助器３４は、ボルト付きアダプタ３１と、ナット付きアダプタ３０と、スプリング（コイルバネ）３２とを備えている。
ボルト付きアダプタ３１は、フランジ３１ａと、雄ねじ３０ｂと、フランジ３１ａ側の端面に穴３１ｃを備えている。この穴３１ｃに取っ手２６を嵌入する。この穴３１ｃの内周には筋目ローレット状の刻みが設けられているため、穴３１ｃは取っ手２６の回転を阻止して受け入れ及び取り外し可能に形成されている。
なお、筋目ローレット状の刻みは、取っ手２６の回転を阻止することができる形状であれば、セレーションであっても構わない。
また、ナット付きアダプタ３０は、フランジ３０ａと、雌ねじ３０ｂとを備えている。
受け台３３は、撹拌器２１を受け止めるように、撹拌器２１の下端に備えられている。このとき、ひねり棒２２の下端には球部２２ｅを備えており、受け台３３は、この球部２２ｅに摺動自在に合致するように受け孔３３ａを備えている。
【００３７】
次に、撹拌器２１の動作を説明する。図６の（ｂ）に示すように、撹拌器２１を用いて、容器７内の内容物８を撹拌する様子を説明する。なお、容器７と内容物８の説明は第１の実施形態と同様であり、省略する。
ボルト付きアダプタ３１の穴３１ｃに、取っ手２６を嵌入する。この取っ手２６の外周には、第１の実施形態で説明したように、ローレット加工が施されている。このローレット加工の刻みと合致するように、ボルト付きアダプタ３１の穴３１ｃには、内周に刻みが施されており、この刻みによって、取っ手２６と穴３１ｃは互いの回転を阻止するように固定されている。
また、取っ手２６に施されているローレット加工は、これに限るものではなく、取っ手２６を六角柱にして、穴３１ｃの内周も六角穴にして、互いの回転を阻止するようにしても構わない。また、六角形以外にも、五角形、四角形、八角形などでもよく、取っ手２６と穴３１ｃの関係は、角柱と角穴であっても良く、特に限定するものではない。
【００３８】
また、ボルト付きアダプタ３１の雄ねじ３１ｂにスプリング（コイルバネ）３２を被せるように挿通させて、フランジ３１ａ上に位置決めする。このあと、雄ねじ３１ｂに雌ねじ３０ｂを螺合させる。この雄ねじ３１ｂと雌ねじ３０ｂとは、ねじのリードを長くした、例えば、２０ｍｍ程に長くした荒目で形成されており、このため、互いのねじのリード上を容易に摺動することができ、この場合、ナット付きアダプタ３０は自身の自重で、ボルト付きアダプタ３１の雄ねじ３１ｂのリード上を回転可能に摺動する。
受け台３３は、撹拌器２１を受け止めるように、撹拌器２１の下端に備えられているため、受け孔３３ａは、球部２２ｅを摺動自在に受け止めている。
【００３９】
図６の（ａ）に示すように、撹拌器２１の受け台３３を容器７の底に位置決めして、回転補助器３４の上部からナット付きアダプタ３０を押し下げると、フランジ３０ａがスプリング３２を圧縮するとともに、ボルト付きアダプタ３１が回転を始める。このとき、取っ手２６も同時に回転を始める。これと同時に、プロペラ２４もひねり棒２２と同じ方向へ回転して取っ手２６側へ上昇する。その後、回転補助器３４を押すことを止めると、プロペラ２４は自重によって降下しながら、やはり同じ方向へ回転する。
【００４０】
以上、好ましい実施の形態について説明したが、本発明は前記実施の形態に限定されるものではなく、本発明の要旨を逸脱することのない範囲内において適宜の変更が可能である。例えば、本実施の形態では、撹拌器を手動で操作して、容器内の内容物を撹拌しているとして説明したが、取っ手（回転支持部）にプーリーなどを設け、このプーリーにベルトを掛けてモータ駆動させることによって間欠動作させると、プロペラは、モータ駆動で上昇し、そのあと、この上昇したプロペラが自重で下降する省エネタイプの電動撹拌器とすることもできる。
【図面の簡単な説明】
【００４１】
【図１】（ａ）は第１の実施形態に係る撹拌器を示す構成図であり、（ｂ）は撹拌器を用いて撹拌する様子を示す斜視図である。
【図２】シャフトの構成を示す構成図である。（ａ）は正面図、（ｂ）は側面図、（ｃ）は（ａ）における底面図である。
【図３】プロペラの構成を示す構成図である。（ａ）は正面図、（ｂ）は平面図、（ｃ）は側面図である。
【図４】撹拌器を用いて、容器内の内容物を撹拌する様子を説明する工程図である。  （ａ）は、撹拌器を容器内に挿入し取っ手を回転し始めたときの様子を示す図、  （ｂ）は、撹拌器を容器内で取っ手を回転させてプロペラがひねり棒に沿って上昇する様子を示す図、  （ｃ）は、さらに、撹拌器を容器内で回転させる様子を示す図、  （ｄ）は、撹拌器がその軸中心に１／２回転し終えて、回転を止めたときの様子を示す図、  （ｅ）は、プロペラがその自重によって、さらに、容器内を降下する様子を示す図、  （ｆ）は、プロペラがその自重によって、容器内を降下して、ひねり棒の下端に戻る様子を示す図である。
【図５】第２の実施形態に係る撹拌器を示す構成図である。
【図６】（ａ）は第３の実施形態に係る撹拌器を示す部分断面図であり、（ｂ）は（ａ）に示す撹拌器を回転させる様子を示す部分断面図である。
【図７】従来例に係る撹拌装置の正面断面図である。
【符号の説明】
【００４２】
１，１１，２１    撹拌器
２，２２  ひねり棒
２ａ    ねじり面
２ｂ    一端
２ｃ    他端
２ｄ    ストッパ孔
３，１３，２３  シャフト
４，１４，２４  プロペラ
４ａ    ガイド孔
５，２５  ストッパ
５ａ    ボルト（なべ小ねじ）
６，１６，２６  回転支持部（取っ手）
７      容器
８      内容物
２２ｅ  球部
３０    ナット付きアダプタ
３１    ボルト付きアダプタ
３０ａ，３１ａ  フランジ
３０ｂ  雌ねじ
３１ｂ  雄ねじ
３１ｃ  穴
３２    スプリング（コイルバネ）
３３    受け台
３３ａ  受け孔
３４    回転補助器
Ｆ      揚力
Ｗ      自重（プロペラの自重）
【図１】
0004473817.tif 000002
【図２】
0004473817.tif 000003
【図３】
0004473817.tif 000004
【図４】
0004473817.tif 000005
【図５】
0004473817.tif 000006
【図６】
0004473817.tif 000007
【図７】
0004473817.tif 000008